(57)【要約】【課題】  安価で簡単な構成、操作で感光体ドラム等の像担持体を傷付けることなく交換部材を抜挿可能な画像形成装置を提供すること。【解決手段】  像担持体と、帯電手段、現像手段、及びクリーニング手段のうちの少なくともいずれか一つと、のいずれかが画像形成装置本体から抜挿可能になっており、像担持体（１）の軸方向両端には、画像形成装置本体に像担持体を回転可能に取り付けるためのフランジ１２，１３が設けられ、帯電手段、現像手段、及びクリーニング手段のうちの少なくともいずれか一つには、抜挿に際して、フランジの外周と接触するフランジ接触部４１が像担持体の軸方向に対し平行に設けられている。【選択図】      図４
2011002643.tif 000002
【特許請求の範囲】
【請求項１】
像担持体と、前記像担持体上を均一に帯電する帯電手段と、前記帯電手段を通過後に前記像担持体を露光し静電潜像を形成し、前記静電潜像に従い、所望の画像を前記像担持体上に現像する現像手段と、前記像担持体上をクリーニングするクリーニング手段とを有する画像形成装置において、
前記像担持体と、前記帯電手段、現像手段、及びクリーニング手段のうちの少なくともいずれか一つと、のいずれかが画像形成装置本体から抜挿可能になっており、
前記像担持体の軸方向両端には、画像形成装置本体に像担持体を回転可能に取り付けるためのフランジが設けられ、
前記帯電手段、現像手段、及びクリーニング手段のうちの少なくともいずれか一つには、前記抜挿に際して、前記フランジの外周と接触するフランジ接触部が前記像担持体の軸方向に対し平行に設けられていることを特徴とする画像形成装置。
【請求項２】
前記帯電手段、現像手段、及びクリーニング手段のうちの少なくともいずれか一つは、前記像担持体を向いた側が開口したケーシングを有するプロセスカートリッジとなっており、前記ケーシングの開口端部にフランジ接触部が設けられていることを特徴とする請求項１に記載の画像形成装置。
【請求項３】
前記フランジは、前記像担持体に圧入又は接着等により固定され、かつその中心部には画像形成装置本体に取り付けられたシャフトに抜挿可能に支持されて画像形成装置本体に対する回転中心を位置決めるための位置決め穴が設けられていることを特徴とする請求項１又は２に記載の画像形成装置。
【請求項４】
前記フランジの外周長は、前記像担持体の外周長より長くなっていることを特徴とする請求項１ないし３のいずれかに記載の画像形成装置。
【請求項５】
前記フランジの外周長は、前記像担持体の軸方向に対し変化するようになっていることを特徴とする請求項４に記載の画像形成装置。
【請求項６】
前記フランジの外周長は、外周縁部の横断面が前記像担持体の外周側縁と接する軸方向内側縁部から軸方向外方に向けて徐々に径が大きくなった第１のテーパ面及び該第１のテーパ面の頂点から軸方向外方に向けて徐々に径が小さくなって軸方向外側縁部に至る第２のテーパ面を有する略三角形状に形成されて変化が可能になっていることを特徴とする請求項５に記載の画像形成装置。
【請求項７】
前記フランジ接触部は、画像形成装置の運転時、前記像担持体の軸方向に対し、前記像担持体の外周より外側で前記フランジの外周の内側に位置していることを特徴とする請求項１ないし６のいずれかに記載の画像形成装置。
【請求項８】
前記フランジ接触部は、抜挿時、前記像担持体のフランジの外周と接触して、画像形成装置の運転時の位置より後退した外側に位置することを特徴とする請求項７に記載の画像形成装置。
【請求項９】
請求項１ないし８のいずれかに記載の画像形成装置に用いられる感光体であって、感光体ドラムと、該感光体ドラムの軸方向両端に設けられたフランジとを有し、このフランジは、外周長が前記感光体の外周長より長くなっているとともに、感光体の軸方向に対し変化するようになっていることを特徴とする感光体。
【請求項１０】
請求項１ないし８のいずれかに記載の画像形成装置に用いられる帯電手段、現像手段、及びクリーニング手段のうちの少なくともいずれか一つのプロセスカートリッジであって、像担持体を向いた側が開口したケーシングを有し、該ケーシングの開口端部にフランジ接触部が設けられていることを特徴とするプロセスカートリッジ。
【発明の詳細な説明】
【技術分野】
【０００１】
この発明は、電子写真方式を用いた感光体や中間転写体等の像担持体を持つ画像形成装置に関し、特に画像形成装置本体から抜挿可能な像担持体を傷付けないようにした技術に係るものである。
【背景技術】
【０００２】
従来の画像形成装置において、画像形成部が、感光体ドラムの周囲に配設された、帯電デバイス、ＬＥＤヘッド、現像デバイス、転写ローラ、及びクリーニングデバイスと、感光体ドラムの下流側の搬送路に配設された定着デバイスとから構成され、これらのうち、感光体ドラム、帯電デバイス、現像デバイス、及びクリーニングデバイスがプロセスユニットとしてカートリッジに収容され一体化されたものが知られている（例えば、特許文献１参照）。この構成の場合には、感光体ドラムに対し、例えばクリーニングデバイスとしてブレードのような感光体ドラムに接触する部材も感光体ドラムと合せて抜挿されることとなるため、感光体ドラムを傷付けることはない。
【０００３】
また、プロセスユニットとしてカートリッジに収容されていない場合においては、例えば感光体ドラムに接触する転写ローラを支持する転写ガイドを、転写ローラと感光体ドラムとが接離する方向へ傾動可能に設けるとともに、ばね等の弾性部材により転写ローラを感光体ドラムに圧接する方向へ付勢し、転写ガイドを装置前面側からばね等の弾性部材の付勢力に反して傾動させる操作部材を設けることが知られている（例えば、特許文献２参照）。
【０００４】
ところで、ここ最近の画像形成装置では、大量印刷、低コスト化への要求が高まってきており、大量印刷に対しては、処理速度向上のため、プロセス速度アップ、停止時間の削減、停止頻度の削減のため、消耗品交換の容易化、消耗品の長寿命化を図り、また低コスト化に対しては、装置コスト低減のため、部品点数削減、構成簡略化を図り、またランニングコストに対しては、消耗品の長寿命化等を図るようになってきている。
【０００５】
従来の画像形成装置の場合、プロセスユニット内に感光体ドラムに接触する部材が感光体ドラムとともに収納されており、感光体ドラムを含め、交換部材の抜挿時に感光体ドラムを傷付けることはないが、例えばブレードや感光体ドラム等が同時期に寿命とならずに、寿命が短いどちらか一方に合せて一体で交換が必要となる。
【０００６】
この場合、どちらか一方の寿命到達前の部材も合せて交換されることとなり、寿命向上が達成できず、また画像形成装置の停止頻度も増え、更にはページコストも増加する原因となってしまう。
【０００７】
また、同時期に寿命とならず、ある寿命となった部材のみ交換する場合でも、プロセスユニットを一旦画像形成装置から取り出し、寿命となった部材のみ交換する作業が必要で無駄な作業が生じ、停止時間の増加になってしまう。その上、高速化を図った場合はプロセスユニットも大型化することが考えられ、一体で交換する作業は非常に困難となる上、交換時間がかかり、画像形成装置の停止時間の増加につながってしまう。
【０００８】
また、操作部材を設け、感光体ドラムに接触する部材を離間させて抜挿する場合には、同様に感光体ドラムを傷付けることはないが、抜挿前に必要な操作が増えることで、操作の手間が増え、画像形成装置の停止時間増加の原因となる。その上、操作部材を設置することで部品点数が増加し、また本操作をするための機構が必要となり装置コスト増加の原因となってしまう。
【発明の概要】
【発明が解決しようとする課題】
【０００９】
そこでこの発明は、前記従来の装置がもつ問題点を解決し、安価で簡単な構成、操作で感光体ドラム等の像担持体を傷付けることなく交換部材を抜挿可能な画像形成装置を提供することを目的とする。
【課題を解決するための手段】
【００１０】
前記の目的を達成するために、請求項１に記載の発明は、像担持体と、前記像担持体上を均一に帯電する帯電手段と、前記帯電手段を通過後に前記像担持体を露光し静電潜像を形成し、前記静電潜像に従い、所望の画像を前記像担持体上に現像する現像手段と、前記像担持体上をクリーニングするクリーニング手段とを有する画像形成装置において、前記像担持体と、前記帯電手段、現像手段、及びクリーニング手段のうちの少なくともいずれか一つと、のいずれかが画像形成装置本体から抜挿可能になっており、前記像担持体の軸方向両端には、画像形成装置本体に像担持体を回転可能に取り付けるためのフランジが設けられ、前記帯電手段、現像手段、及びクリーニング手段のうちの少なくともいずれか一つには、前記抜挿に際して、前記フランジの外周と接触するフランジ接触部が前記像担持体の軸方向に対し平行に設けられていることを特徴とする。
【００１１】
請求項２に記載の発明は、請求項１において、前記帯電手段、現像手段、及びクリーニング手段のうちの少なくともいずれか一つは、前記像担持体を向いた側が開口したケーシングを有するプロセスカートリッジとなっており、前記ケーシングの開口端にフランジ接触部が設けられていることを特徴とする。
【００１２】
請求項３に記載の発明は、請求項１又は２において、前記フランジは、前記像担持体に圧入又は接着等により固定され、かつその中心部には画像形成装置本体に取り付けられたシャフトに抜挿可能に支持されて画像形成装置本体に対する回転中心を位置決めるための位置決め穴が設けられていることを特徴とする。
【００１３】
請求項４に記載の発明は、請求項１ないし３のいずれかにおいて、前記フランジの外周長は、前記像担持体の外周長より長くなっていることを特徴とする。
【００１４】
請求項５に記載の発明は、請求項４において、前記フランジの外周長は、前記像担持体の軸方向に対し変化するようになっていることを特徴とする。
【００１５】
請求項６に記載の発明は、請求項５において、前記フランジの外周長は、外周縁部の横断面が前記像担持体の外周側縁と接する軸方向内側縁部から軸方向外方に向けて徐々に径が大きくなった第１のテーパ面及び該第１のテーパ面の頂点から軸方向外方に向けて徐々に径が小さくなって軸方向外側縁部に至る第２のテーパ面を有する略三角形状に形成されて変化が可能になっていることを特徴とする。
【００１６】
請求項７に記載の発明は、請求項１ないし６のいずれかにおいて、前記フランジ接触部は、画像形成装置の運転時、前記像担持体の軸方向に対し、前記像担持体の外周より外側で前記フランジの外周の内側に位置していることを特徴とする。請求項８に記載の発明は、請求項７において、前記フランジ接触部は、抜挿時、前記像担持体のフランジの外周と接触して、画像形成装置の運転時の位置より後退した外側に位置することを特徴とする。請求項９に記載の発明は、請求項１ないし８のいずれかに記載の画像形成装置に用いられる感光体であって、感光体ドラムと、該感光体ドラムの軸方向両端に設けられたフランジとを有し、このフランジは、外周長が前記感光体の外周長より長くなっているとともに、感光体の軸方向に対し変化するようになっていることを特徴とする。請求項１０に記載の発明は、請求項１ないし８のいずれかに記載の画像形成装置に用いられる帯電手段、現像手段、及びクリーニング手段のうちの少なくともいずれか一つのプロセスカートリッジであって、像担持体を向いた側が開口したケーシングを有し、該ケーシングの開口端部にフランジ接触部が設けられていることを特徴とする。
【発明の効果】
【００１７】
この発明は、前記のようであって、請求項１に記載の発明によれば、前記像担持体と、前記帯電手段、現像手段、及びクリーニング手段のうちの少なくともいずれか一つと、のいずれかが画像形成装置本体から抜挿可能になっており、前記像担持体の軸方向両端には、画像形成装置本体に像担持体を回転可能に取り付けるためのフランジが設けられ、前記帯電手段、現像手段、及びクリーニング手段のうちの少なくともいずれか一つには、前記抜挿に際して、前記フランジの外周と接触するフランジ接触部が前記像担持体の軸方向に平行に対し設けられているので、寿命到達した交換部材の交換時に交換の必要のない他部位を取り外す必要がなくなり、また抜挿前の操作、機構を省くことが可能となり、像担持体を傷付けることなく、抜挿動作が実現できる。
【００１８】
請求項２に記載の発明によれば、帯電手段、現像手段、及びクリーニング手段のうちの少なくともいずれか一つがプロセスカートリッジ化されているので、その装着を容易に行うことができる。請求項３に記載の発明によれば、フランジに位置決め穴があるので、それをシャフトに挿入することにより像担持体の回転中心を位置決めることができる。請求項４〜６に記載の発明によれば、フランジの外周長が像担持体の外周長より長くなっているため、抜挿時にこの長くなっている部位を利用して帯電手段、現像手段、及びクリーニング手段のうちの少なくともいずれか一つの位置を像担持体から接離することができる。請求項７に記載の発明によれば、画像形成装置の運転時にフランジ接触部が像担持体の外周より外側でフランジの外周の内側に位置し、請求項８に記載の発明によれば、抜挿時、像担持体のフランジの外周と接触して、画像形成装置の運転時の位置より後退した外側に位置するので、いずれの時でも像担持体と、帯電手段、現像手段、及びクリーニング手段のうちの少なくともいずれか一つが接触するようなことがなく、像担持体を傷付けることがない。請求項９に記載の発明によれば、前記のような画像形成装置に好適な感光体を提供することができる。請求項１０に記載の発明によれば、前記のような画像形成装置に好適な帯電手段、現像手段、及びクリーニング手段のうちの少なくともいずれか一つのプロセスカートリッジを提供することができる。
【図面の簡単な説明】
【００１９】
【図１】この発明の一実施の形態を示す、画像形成装置の感光体周りの概略断面図である。
【図２】同上の感光体周りの概略横断面図である。
【図３】同上の感光体の一端部側拡大図である。
【図４】同上の感光体抜挿時の概略横断面図である。
【図５】同上の各部位離間方向を示す概略断面図である。
【図６】同上の現像機抜挿時の概略横断面図である。
【図７】同上の感光体や帯電器等が組み込まれた画像形成装置全体を示す概略断面図である。
【発明を実施するための形態】
【００２０】
以下、図面を参照しながら、この発明の一実施の形態に係る画像形成装置について、説明する。なお、この実施の形態では像担持体として感光体について説明するが、例えば中間転写体などトナー像を担持する部材ならば、何れの場合も適用可能である。また、この実施の形態では単色画像形成装置について説明するが、カラー画像形成装置についても適用可能である。
【００２１】
図１は、この発明の一実施の形態に係る画像形成装置の感光体周りの概略断面図である。同図において１は像担持体としての感光体、２は帯電手段としての帯電器、３は露光手段としての露光装置、４は現像手段としての現像機、５は転写手段としての転写器、６はクリーニング手段としてのクリーニング装置である。
【００２２】
図２に示すように感光体１は、感光ドラム１１と、該ドラムの軸方向両端に設けられたフランジ１２，１３とから構成されている。フランジ１２，１３は、感光ドラム１１に対し、例えば圧入または接着等により固定されており、前記画像形成装置本体に対する回転中心の位置決めは、画像形成装置本体（図示せず）に例えば図１において実印刷時に時計方向に回転可能に取り付けられているドラム保持シャフト７によりフランジ１２，１３が支持され、フランジ１２のボス部１２ａにおいて、ドラム保持シャフト７に取り付けられたギヤ８等（図３参照）に嵌合することにより決定され、ドラム保持シャフト７と一緒に回転する。前記ボス部１２ａが嵌合するシャフト７に沿って摺動する構成により、感光体１は前記画像形成装置本体から軸方向に抜挿可能になっている。９，１０はフランジ１２，１３に設けられた位置決め穴で、前記画像形成装置本体に対する感光体１の回転中心を位置決める。
【００２３】
フランジ１２，１３には図２，３に示すように、軸方向にテーパが設けられており、それぞれの最大外径Ｄ１２，Ｄ１３は感光ドラム１１の外径Ｄ１１とは、Ｄ１２＞Ｄ１１，Ｄ１３＞Ｄ１１という関係になっており、フランジ１２，１３の最大外周長は感光ドラム１１の外周長より長くなっている。なお、Ｄ１２とＤ１３の関係は、Ｄ１２＝Ｄ１３である。
【００２４】
フランジ１２，１３の外周長について詳しく説明すると、前記のように最大外周長が感光ドラム１１の外周長より長くなっているフランジ１２，１３の外周長は、感光ドラム１１の軸方向に対し変化するようになっている。すなわち、フランジ１２，１３の外周長は、図３のように外周縁部の横断面が感光ドラム１１の外周側縁と接する軸方向内側縁部から軸方向外方に向けて徐々に径が大きくなったテーパ面１５、及び該テーパ面の頂点（最大外周長）から軸方向外方に向けて徐々に径が小さくなって軸方向外側縁部に至るテーパ面１７を有する略三角形状に形成されている。
【００２５】
一方、帯電器２、現像機４及びクリーニング装置６は、必要な部材をそれぞれケーシング２ａ，４ａ，６ａに収容し、プロセスカートリッジとして一体化した構成となっている。そして、これらのプロセスカートリッジの感光体１を向いたケーシング２ａ，４ａ，６ａの開口端部には、前記画像形成装置本体に取り付けられた際に感光体１の感光ドラム１１外周よりも外側で、フランジ１２の外周よりも内側に位置するフランジ接触部２１，２２，４１，４２，６１，６２が設けられている。
【００２６】
接触部２１，２２，４１，４２，６１，６２の感光体１との軸方向の関係を、図２を用いて説明する。図２は図１のＺ方向から見た概略横断面図である。この図及び図３から明らかなように現像機４の接触部４１は軸方向に設けられ、画像形成装置の運転時の配置は感光体ドラム１１の軸方向に対し、感光ドラム１１の外周よりも外側で、フランジ１２、１３の最大外周よりも内側に配置されている。この配置位置は図示しないばね等の付勢手段により保持され設定されている。
【００２７】
接触部４１の感光体１に対する位置関係は以上のようになっており、現像機４の他の接触部４２、帯電器２の接触部２１，２２、クリーニング装置６の接触部６１，６２も感光体１に対して同様の位置関係となっている（図１参照）。また、その配置位置の設定もそれぞれ設けた付勢手段によることは、現像機４の場合と同様である。そして、前述のようにプロセスカートリッジ化された帯電器２、現像機４及びクリーニング装置６はいずれも、感光体１と同様に軸方向にそれぞれ前記画像形成装置本体から抜挿可能になっている。
【００２８】
次に感光体１の抜挿動作について説明する。図１，２の状態で使用された感光体１を交換する際には、図４に点線矢印で示すようにドラム保持シャフト７の軸方向に沿って感光体１を抜き出す。この抜き出しにより、フランジ１２のボス部１２ａがギヤ８との嵌合から外れてシャフト７上を摺動するとともに、フランジ１３のボス部１３ａがシャフト７の端部から外れて、徐々に抜き出されていくことになるが、その際、フランジ１２のテーパ面１５が接触部４１にその一方の角部から接触していき、テーパ面１５の頂点が接触部４１に接触すると図４のように現像機４は前記付勢手段の付勢に抗して実線矢印の方向に離間する。この離間した位置は画像形成装置の運転時の位置よりも後退した位置である。
【００２９】
そして、接触部４１上を摺動するフランジ１２のテーパ面１５の頂点が接触部４１の他方の角部を越えると、今度はテーパ面１７が接触部４１と接触し、さらに該テーパ面１７が接触部４１と接触しなくなると、抜き出しが完了することになる。この動作は図示していないが、現像機４の接触部４２、帯電器２の接触部２１，２２、クリーニング装置６の接触部６１，６２でも同様であり、帯電器２、現像機４、クリーニング装置６はそれぞれ、図５の実線矢印の方向に離間する。なお、感光体１の抜き出しが完了すると、帯電器２、現像機４及びクリーニング装置６は、前記付勢手段によって感光体１のあった跡の内側へ前進して接近し、元の位置に復帰する。
【００３０】
抜き出した感光体１に代えて新感光体を再び画像形成装置本体の所定位置に装着するには、新感光体をフランジ１２側から前記とは逆向きにドラム保持シャフト７の軸方向に沿って挿し込む。この挿し込みにより、フランジ１２のボス部１２ａがシャフト７に挿入されてそれに沿って摺動し、フランジ１２のテーパ面１７が接触部４１にその他方の角部から接触していき、テーパ面１７の頂点が接触部４１に接触すると、現像機４は前記付勢手段の付勢に抗して前記と同様に離間する。そして、フランジ１２のテーパ面１７の頂点が接触部４１の一方の角部を越えると、今度はテーパ面１５が接触部４１と接触し、さらに該テーパ面１５が接触部４１と接触しなくなると、新感光体は旧感光体の跡に装着された状態となり、現像機４をはじめ、帯電器２、クリーニング装置６も前記付勢手段の付勢力を受けて元の位置に復帰する。これにより感光体１の交換のための一連の抜挿作業が終了する。
【００３１】
前記のように感光体１の抜挿時には帯電器２、現像機４、クリーニング装置６が、感光体１のフランジ１２，１３と接触する接触部２１，２２，４１，４２，６１，６２によって必ず離間するので、感光体１が傷付くことはない。そのため、寿命到達した交換部材として、感光体１を交換する時にも交換の必要のない他部位（現像機４等）を取り外す必要がない。また、抜挿前の操作、機構も省ける。
【００３２】
また、感光体１以外、例えば現像機４を交換するために抜挿するときは、図６に点線矢印で示すように現像機４を抜き出す。その際、現像機４の接触部４１がフランジ１３のテーパ面１５にその他方の角部から接触し、テーパ面１５に沿って摺動してその頂点に乗り上げ、この状態で徐々に抜き出されていくことになるが、前記乗り上げまでの間に現像機４は前記付勢手段の付勢に抗して図６の実線矢印の方向に離間する。そして、現像機４の接触部４１がフランジ１３との接触がしなくなると、抜き出しが完了することになる。この動作は現像機４の接触部４２でも同様である。また、帯電器２を交換するために抜挿するとき、クリーニング装置６を交換するために抜挿するときも、それぞれ接触部２１，２２，６１，６２も感光体１に対し同様の動作をし、帯電器２、クリーニング装置６はそれぞれ、図５の実線矢印の方向に離間する。
【００３３】
前記のように現像機４、帯電器２、クリーニング装置６は、いずれの場合もその交換のために抜挿するとき、必ず図５の実線矢印の方向に離間するので、感光体１が傷付くことはない。そのため、寿命到達した交換部材として、現像機４、帯電器２、クリーニング装置６のいずれかを交換する時にも交換の必要のない他部位（感光体１等）を取り外す必要がない。また、抜挿前の操作、機構も省ける。
【００３４】
図７は、前記のような感光体１や帯電器等が組み込まれた画像形成装置全体を示す。この画像形成装置の運転時の印刷動作について説明する。
【００３５】
感光体１は、図示しないコントローラからの印刷動作開始信号に基づいて回転を始めると共に、画像形成装置の印刷速度に相当する速度で回転し、印刷動作が終了するまで回転を続ける。感光体１が回転を開始すると、帯電器２に高電圧が印加され、感光体１表面に例えば正の電荷が均一に帯電される。ドットイメージに変換された文字データや図形データが、露光装置３のオン／オフ信号として図示しないコントローラから画像形成装置に送られると、感光体１表面に露光装置３よりレーザ光等が照射される部分と照射されない部分とが形成される。
【００３６】
露光装置３からのレーザ光等の照射により、感光体１上の電荷が消失した部分が現像機４と対向する位置に到達すると、正電荷に帯電したトナーが静電気により吸引されて感光体１上にトナー像が形成される。感光体１上に形成されたトナー像は、用紙９背面側にトナー像と逆極性の電荷を付与する転写器５の作用によって用紙９上に吸引される。なお、転写器５を通過した感光体１は、クリーニング装置６で清掃され、感光体１上の残留トナーは、図示しない回収部へ回収され、次の印刷動作に備えられる。
【００３７】
その後、用紙９は定着部８に搬送され、定着部８に到達した用紙９は少なくとも１つが加熱ロールである一対の定着ロール８ａ、８ｂによって形成されるニップ部によって、加熱、加圧されながらトナー像が用紙９に溶融定着される。以上のような印刷動作を繰り返し、用紙９上に画像が形成される。印刷動作を繰り返すうちに感光体１、帯電器２、現像機４、クリーニング装置６はそれぞれ使用限界に到達し、交換が必要となってくる。また、その寿命はそれぞれ異なる場合が多い。
【００３８】
この発明の画像形成装置では、交換に必要のない他部位を取り外す必要がなく、また抜挿前の操作、機構を省くことが可能となり、安価で簡単な構成、操作で感光体を傷付けることなく感光体の抜挿を可能にすることが実現できる。
【００３９】
前記の実施の形態は、好ましい一例を示したにすぎず、この発明は特許請求の範囲に記載した範囲内において、さらに異なる適宜の実施の形態をも含むものである。
【符号の説明】
【００４０】
１  感光体（像担持体）
２  帯電器（帯電手段）
３  露光装置（露光手段）
４  現像機（現像手段）
５  転写器（転写手段）
６  クリーニング装置（クリーニング手段）
７  ドラム保持シャフト
１１  感光ドラム
１２，１３  フランジ
１５，１７  テーパ面
２１，２２，４１，４２，６１，６２  接触部
【先行技術文献】
【特許文献】
【００４１】
【特許文献１】特開２００６−５６０６５号公報
【特許文献２】特開２００６−３０４１８号公報
【図１】
2011002643.tif 000003
【図２】
2011002643.tif 000004
【図３】
2011002643.tif 000005
【図４】
2011002643.tif 000006
【図５】
2011002643.tif 000007
【図６】
2011002643.tif 000008
【図７】
2011002643.tif 000009